(57)【要約】【課題】照明装置に対する電気配線の盛り替えの作業を低減し、作業領域に対して良好な光を照射できるクレーン装置を提供する。【解決手段】クライミング装置（１３，１４）と、クライミング装置（１３，１４）によって昇降される旋回体（１５）を備えるクレーン装置（１０）であって、周囲に対して光を照射するＬＥＤ照明装置（２０）がクライミング装置（１３，１４）に取り付けられていることを特徴とするクレーン装置（１０）。【選択図】図１
2018002442.tif 000002
【特許請求の範囲】
【請求項１】
クライミング装置と、前記クライミング装置によって昇降される旋回体を備えるクレーン装置であって、
周囲に対して光を照射するＬＥＤ照明装置が前記クライミング装置に取り付けられていることを特徴とするクレーン装置。
【請求項２】
請求項１に記載のクレーン装置であって、
前記ＬＥＤ照明装置は、光の照射方向を調整する角度調整部を備えることを特徴とするクレーン装置。
【請求項３】
請求項１または２に記載のクレーン装置であって、
前記クレーン装置の各部に電力を供給するクレーン作動電源を前記旋回体に備え、
前記ＬＥＤ照明装置は前記クレーン作動電源からの電力により動作することを特徴とするクレーン装置。
【請求項４】
請求項１から３の何れか１つに記載のクレーン装置であって、
前記ＬＥＤ照明装置は着脱部を備えており、前記クライミング装置に対して着脱自在に取り付けられることを特徴とするクレーン装置。
【請求項５】
請求項１から４の何れか１つに記載のクレーン装置であって、
前記ＬＥＤ照明装置の動作を遠隔位置から制御する遠隔制御装置を備えることを特徴とするクレーン装置。
【発明の詳細な説明】
【技術分野】
【０００１】
本発明は、クレーン装置に関する。
【背景技術】
【０００２】
高層建築物を建設する際には、建築資材を高所で運搬するためにクレーン装置が用いられる（特許文献１）。このようなクレーン装置では、下層から建築物を建設していくとともに、建設途中の建築物の最上階にまでクレーン装置の高さを昇降し、地上から最上階位置への建築資材の運搬や作業領域である最上階位置での建築資材の移動を行っている。
【０００３】
このとき、最上階位置や地上位置では建設段階に応じて、作業領域内での資材の移動や各種装置の配置換えなどを適宜行っている。また、建設作業は屋外で行われており、天候や作業時間によっては作業領域を適切な照度で照明しておく必要があるため、作業領域には複数の照明装置を配置して各所に対して十分な光量を照射できるようにしている。
【０００４】
図７は、従来の作業領域内に複数の水銀灯を配置する場合に照射される光の照度分布を示す図である。作業領域内の全域に対して必要な照度を照射するためには、照度が不足する領域毎に水銀灯を配置して光を照射する必要があるため、図７では４つの水銀灯を用いて４角から光を照射している。
【先行技術文献】
【特許文献】
【０００５】
【特許文献１】特開平０７−１３７９８２号公報
【発明の概要】
【発明が解決しようとする課題】
【０００６】
しかし従来のクレーン装置では、作業領域内の配置換えに伴って照明装置の配置も変更しなくてはならず、その度に照明装置に対する電気配線を変更する盛り替え作業が発生していた。適切な照明配置をするための盛り替え作業は、作業領域の安全性確保や作業効率の維持するうえで重要であるが、建設工程の各段階で何度も繰り返し行われるので時間と費用、人員を割かなくてはならず、建設の期間短縮や経費削減という観点からは負担が大きい。
【０００７】
そこで本発明は、照明装置に対する電気配線の盛り替えの作業を低減し、作業領域に対して良好な光を照射できるクレーン装置を提供することを課題とする。
【課題を解決するための手段】
【０００８】
上記課題を解決するために本発明のクレーン装置は、クライミング装置と、前記クライミング装置によって昇降される旋回体を備えるクレーン装置であって、周囲に対して光を照射するＬＥＤ照明装置が前記クライミング装置に取り付けられていることを特徴とする。
【０００９】
このような本発明のクレーン装置では、旋回しないクライミング装置にＬＥＤ照明装置を取り付けて周囲に光を照射するので、照明装置に対する電気配線の盛り替えの作業を低減し、作業領域に対して良好な光を照射することが可能になる。
【００１０】
また本発明の一態様では、前記ＬＥＤ照明装置は、光の照射方向を調整する角度調整部を備える。
【００１１】
また本発明の一態様では、前記クレーン装置の各部に電力を供給するクレーン作動電源を前記旋回体に備え、前記ＬＥＤ照明装置は前記クレーン作動電源からの電力により動作する。
【００１２】
また本発明の一態様では、前記ＬＥＤ照明装置は着脱部を備えており、前記クライミング装置に対して着脱自在に取り付けられる。
【００１３】
また本発明の一態様では、前記ＬＥＤ照明装置の動作を遠隔位置から制御する遠隔制御装置を備える。
【発明の効果】
【００１４】
本発明では、照明装置に対する電気配線の盛り替えの作業を低減し、作業領域に対して良好な光を照射できるクレーン装置を提供することができる。
【図面の簡単な説明】
【００１５】
【図１】クレーン装置１０を示す模式図であり、クレーン装置１０が低層位置にある場合を示している。
【図２】クレーン装置１０を示す模式図であり、クレーン装置１０が高層位置にある場合を示している。
【図３】クレーン装置１０に取り付けられるＬＥＤ照明装置２０を示す模式図である。
【図４】保持部２２の一例を示す図であり、図４（a）は正面図であり、図４（ｂ）は側面図であり、図４（ｃ）は天面図である。
【図５】クレーン装置１０における電気配線等を示すブロック図である。
【図６】ＬＥＤ照明装置２０から照射される光の照度分布を示す図であり、図６（ａ）は模式斜視図であり、図６（ｂ）は模式平面図である。
【図７】従来の作業領域内に複数の水銀灯を配置する場合に照射される光の照度分布を示す図である。
【発明を実施するための形態】
【００１６】
（第１実施形態）
以下、本発明の第１実施形態について、図面を参照して詳細に説明する。各図面に示される同一または同等の構成要素、部材、処理には、同一の符号を付すものとし、適宜重複した説明は省略する。図１，図２は、クレーン装置１０を示す模式図であり、図１はクレーン装置１０が低層位置にある場合を示し、図２はクレーン装置１０が高層位置にある場合を示している。
【００１７】
本実施形態のクレーン装置１０は、図１，２に示すように、マスト受台１１と、マスト１２と、クライミング装置下部１３と、クライミング装置上部１４と、旋回体１５と、運転室１６と、ジブ１７と、フック１８と、ＬＥＤ照明装置２０とを備えて、作業高位置１又は地上ＧＬに取り付けられている。図１，２中に実線Ｌで示された範囲はＬＥＤ照明装置２０の照明範囲を示している。
【００１８】
マスト受台１１は、作業高位置１又は地上ＧＬに固定されてマスト１２を固定するための台座部分である。マスト１２は、複数のマスト部材が連結されてマスト受台１１に立設され、旋回体１５を保持するための部材である。クライミング装置下部１３およびクライミング装置上部１４とは、マスト１２に沿って旋回体１５とともに上下するクライミング装置を構成している。マスト１２の高さは連結されるマスト部材の個数によって変更可能であり、上端にマスト部材を継ぎ足して延長したうえでクライミング装置が上昇することで旋回体１５よりも上部が上昇して、図１に示した低層位置や図２に示した高層位置のようにクレーン装置１０の高さを変更できる。
【００１９】
旋回体１５は、マスト１２を回転軸として旋回可能に取り付けられており、クライミング装置下部１３およびクライミング装置上部１４で構成されるクライミング装置の昇降に応じてマストに沿って昇降する。また、旋回体１５上には運転室１６やジブ１７等の各部が搭載されており、旋回体１５の旋回に伴って搭載された各部も旋回する。
【００２０】
運転室１６は、旋回体１５上に搭載されており、クライミング装置下部１３、クライミング装置上部１４、旋回体１５、ジブ１７、フック１８およびＬＥＤ照明装置２０を操作するための各種操作機器が設置された、操作者がクレーン装置１０を運転するための空間である。
【００２１】
ジブ１７は、旋回体１５上に搭載されて先端にフック１８が吊り下げられた部材である。ジブ１７は、運転室１６からの操作者の指示に従って旋回体１５と共に旋回し、上下角を変更してフック１８及び吊り荷の移動を行う。フック１８は、ジブ１７の先端からワイヤーで吊り下げられて吊り荷を吊る部材であり、ワイヤーの巻回にともなって高さが変更されることで吊り荷を上下方向に移動させる。
【００２２】
ＬＥＤ照明装置２０は、クライミング装置上部１４の側面に取り付けられた照明装置であり、発光素子として発光ダイオード（ＬＥＤ：Ｌｉｇｈｔ  Ｅｍｉｔｔｉｎｇ  Ｄｉｏｄｅ）を複数備えて、作業高位置１及び地上高位置においてクレーン装置１０の周囲にある作業領域に対して光を照射する。ＬＥＤ照明装置２０は所定の角度範囲に対して指向性を持って光を照射し、図１，２に示すように実線Ｌで示した照射範囲内に光を照射する。ＬＥＤ照明装置２０の光照射範囲については詳細を後述するが、具体的には例えば２０度以下の範囲が照射範囲であることが好ましい。
【００２３】
図１，２に示したクレーン装置１０では、クライミング装置下部１３とクライミング装置上部１４を含むクライミング装置は、旋回体１５の旋回やジブ１７の上下動作に依らず、マスト１２および作業高位置１及び地上高位置との相対位置は変化しない。よって、クレーン装置１０の周囲にある作業高位置１及び地上高位置の作業領域に対しては、クライミング装置に取り付けられたＬＥＤ照明装置２０が光を照射する領域は、旋回体１５の旋回やジブ１７の上下動作によって変化せず、同じ作業領域を照射し続けることができる。
【００２４】
また、マスト１２が追加されてクレーン装置１０の高さが変化した場合には、クライミング装置下部１３とクライミング装置上部１４を含むクライミング装置はマスト１２に沿って昇降して高さが変化する。よって、建設途中の最上階に位置する作業領域に対しては、クレーン装置１０の高さの変化によってＬＥＤ照明装置２０の取り付けられているクライミング装置の高さも変化し、最上階に対する光の照射を継続することができる。
【００２５】
図３は、クレーン装置１０に取り付けられるＬＥＤ照明装置２０を示す模式図である。図３に示すようにＬＥＤ照明装置２０は、照明部２１と保持部２２と取付ステー３０とを備え、照明部２１を保持部２２で保持して取付ステー３０でクライミング装置上部１４に固定している。照明部２１は電力が供給されて光を照射する部分であり、筐体内に複数のＬＥＤと反射鏡、レンズ、駆動回路などが実装されている。保持部２２は、取付ステー３０の平板状部分に固定されており、照明部２１を一軸方向に回動可能に保持している。
【００２６】
図４は、保持部２２の一例を示す図であり、図４（a）は正面図であり、図４（ｂ）は側面図であり、図（ｃ）は天面図である。保持部２２は、略板状の部材が略コの字形状に折り曲げられて把持部２２１と取付部２２２を構成されており、二つの把持部２２１の間に照明部２１が配置され、取付部２２２が取付ステー３０に取り付けられる。
【００２７】
取付部２２２には、略円形状の軸孔２２３と、軸孔２２３を中心とした円弧状のガイド２２４が開口されている。軸孔２２３とガイド２２４にボルトを挿入して取付ステー３０に締結することで、保持部２２は軸孔２２３を中心としてガイド２２４に沿って回転可能に取り付けられる。
【００２８】
把持部２２１には、略円形状の軸孔２２５と、軸孔２２５を中心軸とした円弧上のガイド２２６が開口されている。二つの把持部２２１の間に照明部２１を配置し、軸孔２２５とガイド２２６にボルトを挿入して照明部２１に締結することで、照明部２１は軸孔２２５を中心としてガイド２２６に沿って回転可能に取り付けられる。
【００２９】
図４（ａ）〜（ｃ）に示した保持部２２を用いることで、軸孔２２４および軸孔２２５を回動中心として二軸方向に回転可能に照明部２１が保持される。これにより、二次元平面内の任意の方向に対して照明部２１から光を照射することが可能となる。
【００３０】
保持部２２による照明部２１の回動可能な保持により、照明部２１は上下左右方向に回動可能にされている。これにより、クレーン装置１０の周囲にある地上高位置の作業領域に対しては、クレーン装置１０の高さを変更してクライミング装置上部１４の高さが変化した場合にも、照明部２１の上下角度を変更して適切な照明範囲の光照射をすることができる。また、建設途中の最上階に位置する作業領域の相対的高さが変化した場合や作業領域が変化した場合にも、照明部２１の上下左右角度を変更して適切な照明範囲の光照射をすることができる。
【００３１】
取付ステー３０は略平板状の部材であり、ボルトやナットなどの着脱部で着脱自在にクライミング装置上部１４に取り付けられている。これにより、クレーン装置１０の周囲における作業領域が変化した場合にも、クライミング装置下部１３およびクライミング装置上部１４の横方向にＬＥＤ照明装置２０の取り付け位置を変更することで、作業領域に対応させた照明光の照射をすることができる。
【００３２】
ここで、照明部２１、保持部２２および取付ステー３０の形状は図３，図４に例示したものに限定されず、それぞれの機能を実現できれば種々の構成を採用することができる。また、ＬＥＤ照明装置２０を取り付ける位置はクライミング装置上部１４に限定されず、クライミング装置下部１３であってもよく、クライミング装置の任意の箇所に取り付けることができる。
【００３３】
図５は、クレーン装置１０における電気配線等を示すブロック図である。図５に示すようにクレーン装置１０では、商用電源に接続された受電ボックス４１が設置され、受電ボックス４１から電源線４２を介して中継ボックス４３が接続され、中継ボックス４３にはトランス４４と照明制御部４５を介してＬＥＤ照明装置２０が接続されている。また、中継ボックス４３はスリップリング４６を介してクレーン作動電源４７に接続されている。
【００３４】
クレーン装置１０では、ＬＥＤ照明装置２０がクライミング装置上部１４の側面に取り付けられ、受電ボックス４１は地上ＧＬに設置され、クレーン作動電源４７は運転室１６に設置され、中継ボックス４３、トランス４４、照明制御部４５はクライミング装置下部１３またはクライミング装置上部１４に設けられている。ここではクレーン作動電源４７を運転室１６内に設置する例を示したが、旋回体１５より上部に設置されていれば運転室１６の外部であってもよい。
【００３５】
図５に示したように本実施形態のクレーン装置１０では、外部の商用電源からの電力が受電ボックス４１に供給され、電源線４２を介して中継ボックス４３、スリップリング４６、クレーン作動電源４７に電力が伝達される。クレーン作動電源４７は、旋回体１５や運転室１６内に設置された各種機器、ジブ１７、フック１８等のクレーン装置１０各部に対して電力を供給し、クレーン装置１０を動作させる電源である。またＬＥＤ照明装置２０には、中継ボックス４３、トランス４４、照明制御部４５を介して電力を供給する。
【００３６】
電源線４２は、十分な長さを確保して地上ＧＬでドラム等に巻回されており、マスト１２の高さが変更されてクライミング装置下部１３およびクライミング装置上部１４の高さが変更されると、繰り出されて中継ボックス４３までの電気的接続が確保される。中継ボックス４３は、クライミング装置上部１４に設置されており、スリップリング４６の接触端子までの配線は旋回体１５の旋回に影響されない。
【００３７】
ＬＥＤ照明装置２０を駆動する駆動回路は、照明制御部４５に設けるとしてもＬＥＤ照明装置２０内部に搭載するとしてもよい。また照明制御部４５は、ＬＥＤ照明装置２０の光量を調整する調光装置を備えている。ここでＬＥＤ照明装置２０の調光装置は公知の技術を用いることができ、ＰＷＭ（Ｐｕｌｓｅ  Ｗｉｄｔｈ  Ｍｏｄｕｌａｔｉｏｎ）制御や電流制御などの各種技術を用いて実現される。
【００３８】
照明制御部４５は、クレーン作動電源４７から電力を供給されて、ＬＥＤ照明装置２０を駆動する電力および信号をＬＥＤ照明装置２０に出力する。また照明制御部４５は、電波や赤外線などを用いた無線接続やケーブルを用いた有線接続による情報通信手段を備えて、照明制御部から離れた位置に設けられた遠隔制御装置との情報通信によって操作される。
【００３９】
これにより、クレーン装置１０周囲の作業領域で作業する作業者は、ＬＥＤ照明装置２０から離れた位置である運転室１６内や地上ＧＬ、作業高位置１等から、遠隔制御装置を用いてＬＥＤ照明装置２０に対して照明のＯＮ／ＯＦＦや調光装置による照度制御をすることが可能となる。また、撮影条件の変化と必要光量の変化に対応するために、作業者は照明制御部４５の調光装置を用いて、作業領域に最適となるようにＬＥＤ照明装置２０から照射するように光量を調整する。例えばＬＥＤ照明装置２０までの距離が遠くなる場合には光量を増加し、距離が近い場合には光量を減少させる。
【００４０】
スリップリング４６は、旋回体１５の旋回方向に沿って設けられたリング状の電極と、クライミング装置側に設けられた接触端子によって構成された電気接点であり、旋回体１５が旋回してもリング状の電極と接触端子とが電気的接続を保持し、クレーン作動電源４７と中継ボックス４３の間で電気的接続を確保する。
【００４１】
図５に示した配線によって、クレーン装置１０の高さ変更や旋回などの影響を受けずにクレーン作動電源４７には電力が供給され、照明制御部４５およびＬＥＤ照明装置２０に対して安定して電力供給を行うことができる。クレーン装置１０では、クレーン装置１０の高さや旋回の動作に関わらず電気的接続が確保される。また、ＬＥＤ照明装置２０に対する電気配線のうち地上ＧＬや作業高位置１と同一の平面内にあるものは、商用電源と受電ボックス４１と電源線４２だけであり、これはクレーン装置１０の動作に必要な配線と共有されている。
【００４２】
したがって、クレーン装置１０では建設作業の進捗によって作業領域内の配置変更があった場合にも、作業領域内での配線の盛り替え作業は不要となる。また、クレーン装置１０の高さ変更や旋回動作があったとしても、クライミング装置上部１４や運転室１６での配線変更も不要であり、作業の進捗に依らず作業領域に対して光の照射を継続することが可能である。
【００４３】
また、指向性の高いＬＥＤ照明装置２０を用いているため、作業領域までの距離が百ｍ程度まで大きくなっても、住宅密集地などで作業領域外を不必要に照射することなく、作業領域に対してのみ必要な照度を照射することができる。また、ＬＥＤ照明装置２０が調光装置を備えているため、クレーン装置１０の高さ等の撮影条件に応じてＬＥＤ照明装置２０の光量を調整し、作業領域に必要な光量を適切に調整することで、不必要に光量を増加させず省エネルギー化を図ることができる。
【００４４】
次に、ＬＥＤ照明装置２０から照射される光の照射範囲について図６を用いて説明する。図６は、ＬＥＤ照明装置２０から照射される光の照度分布を示す図であり、図６（ａ）は模式斜視図であり、図６（ｂ）は模式平面図である。クライミング装置上部１４の側面に斜め下方に向けて取り付けられたＬＥＤ照明装置２０から照射された光は、作業高位置１又は地上ＧＬの平面に対して斜めに入射して図６（ａ）（ｂ）に示したような照度分布となる。
【００４５】
図６（ａ）（ｂ）に示したように、クレーン装置１０ではＬＥＤ照明装置２０をクライミング装置上部１４の側面に取り付けているため、作業領域と同じ平面上に照明装置を配置せずに作業領域に対して適切な照度の光を照射することができる。図７に示した作業領域内に４つの水銀灯を配置した従来例と比較すると、本実施形態のクレーン装置１０では一つのＬＥＤ照明装置２０だけで作業領域内の全域に対して適切な照度の光を照射できていることがわかる。
【００４６】
上述したように、本実施形態のクレーン装置１０では、作業領域の平面内に照明装置に対する配線を設ける必要がなくなり、作業領域内の配置換えに伴う盛り替え作業を低減することが可能となる。
【００４７】
（第２実施形態）
次に本発明の第２実施形態について説明する。第１実施形態と重複する部分についての説明は省略する。本実施形態では、ＬＥＤ照明装置２０の保持部２２にモータ等による動力源を設けておき、遠隔制御装置を用いて照明部２１の上下方向を遠隔位置から制御する。
【００４８】
これにより、クレーン装置１０の周囲にある地上高位置の作業領域に対しては、クレーン装置１０の高さを変更してクライミング装置上部１４の高さが変化した場合にも、遠隔位置から照明部２１の上下角度を変更して適切な照明範囲の光照射をすることができる。また、建設途中の最上階に位置する作業領域の相対的高さが変化した場合や作業領域が変化した場合にも、遠隔位置から照明部２１の上下角度を変更して適切な照明範囲の光照射をすることができる。
【００４９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５０】
１…作業高位置
１０…クレーン装置
１１…マスト受台
１２…マスト
１３…クライミング装置下部
１４…クライミング装置上部
１５…旋回体
１６…運転室
１７…ジブ
１８…フック
２０…ＬＥＤ照明装置
２１…照明部
２２…保持部
３０…取付ステー
４１…受電ボックス
４２…電源線
４３…中継ボックス
４４…トランス
４５…照明制御部
４６…スリップリング
４７…クレーン作動電源
【図１】
2018002442.tif 000003
【図２】
2018002442.tif 000004
【図３】
2018002442.tif 000005
【図４】
2018002442.tif 000006
【図５】
2018002442.tif 000007
【図６】
2018002442.tif 000008
【図７】
2018002442.tif 000009
【手続補正書】
【提出日】平成28年8月26日(2016.8.26)
【手続補正１】
【補正対象書類名】特許請求の範囲
【補正対象項目名】請求項３
【補正方法】変更
【補正の内容】
【請求項３】
請求項１または２に記載のクレーン装置であって、
前記クレーン装置の各部に電力を供給するクレーン作動電源を前記旋回体に備え、
前記ＬＥＤ照明装置は前記クレーン作動電源までの電源線に設けられた中継ボックスからの電力により動作することを特徴とするクレーン装置。
【手続補正２】
【補正対象書類名】明細書
【補正対象項目名】００１１
【補正方法】変更
【補正の内容】
【００１１】
また本発明の一態様では、前記クレーン装置の各部に電力を供給するクレーン作動電源を前記旋回体に備え、前記ＬＥＤ照明装置は前記クレーン作動電源までの電源線に設けられた中継ボックスからの電力により動作する。
【手続補正３】
【補正対象書類名】明細書
【補正対象項目名】００３５
【補正方法】変更
【補正の内容】
【００３５】
図５に示したように本実施形態のクレーン装置１０では、外部の商用電源からの電力が受電ボックス４１に供給され、電源線４２を介して中継ボックス４３、スリップリング４６、クレーン作動電源４７に電力が伝達される。クレーン作動電源４７は、旋回体１５や運転室１６内に設置された各種機器、ジブ１７、フック１８等のクレーン装置１０各部に対して電力を供給し、クレーン装置１０を動作させる電源である。
【手続補正４】
【補正対象書類名】明細書
【補正対象項目名】００３９
【補正方法】変更
【補正の内容】
【００３９】
これにより、クレーン装置１０周囲の作業領域で作業する作業者は、ＬＥＤ照明装置２０から離れた位置である運転室１６内や地上ＧＬ、作業高位置１等から、遠隔制御装置を用いてＬＥＤ照明装置２０に対して照明のＯＮ／ＯＦＦや調光装置による照度制御をすることが可能となる。また、作業条件の変化と必要光量の変化に対応するために、作業者は照明制御部４５の調光装置を用いて、作業領域に最適となるようにＬＥＤ照明装置２０から照射するように光量を調整する。例えばＬＥＤ照明装置２０までの距離が遠くなる場合には光量を増加し、距離が近い場合には光量を減少させる。
【手続補正５】
【補正対象書類名】明細書
【補正対象項目名】００４３
【補正方法】変更
【補正の内容】
【００４３】
また、指向性の高いＬＥＤ照明装置２０を用いているため、作業領域までの距離が百ｍ程度まで大きくなっても、住宅密集地などで作業領域外を不必要に照射することなく、作業領域に対してのみ必要な照度を照射することができる。また、ＬＥＤ照明装置２０が調光装置を備えているため、クレーン装置１０の高さ等の作業条件に応じてＬＥＤ照明装置２０の光量を調整し、作業領域に必要な光量を適切に調整することで、不必要に光量を増加させず省エネルギー化を図ることができる。
【手続補正６】
【補正対象書類名】明細書
【補正対象項目名】００４７
【補正方法】変更
【補正の内容】
【００４７】
（第２実施形態）
次に本発明の第２実施形態について説明する。第１実施形態と重複する部分についての説明は省略する。本実施形態では、ＬＥＤ照明装置２０の保持部２２にモータ等による動力源を設けておき、遠隔制御装置を用いて照明部２１の上下左右方向を遠隔位置から制御する。
【手続補正７】
【補正対象書類名】明細書
【補正対象項目名】００４８
【補正方法】変更
【補正の内容】
【００４８】
これにより、クレーン装置１０の周囲にある地上高位置の作業領域に対しては、クレーン装置１０の高さを変更してクライミング装置上部１４の高さが変化した場合にも、遠隔位置から照明部２１の上下角度を変更して適切な照明範囲の光照射をすることができる。また、建設途中の最上階に位置する作業領域の相対的高さが変化した場合や作業領域が変化した場合にも、遠隔位置から照明部２１の上下左右角度を変更して適切な照明範囲の光照射をすることができる。